(57)【要約】【課題】本発明はオペレータが変調器の主チャンネル又は製造者の予め設定したデフォルトチャンネルを選択できる方法及びビデオ信号受像機の提供を目的とする。【解決手段】出力信号をテレビジョン信号受像機（５２）に供給する衛星ビデオ受像機（１２）は、衛星受信器の変調器の出力チャンネル周波数のオペレータ選択用の装置（１０，１５，１６，２０，４５，６０，６５，７０）を有する。第１の復旧モードでオペレータは、例えば、選定された主チャンネルを忘れた場合、現在の変調器チャンネルを製造者の予め設定したデフォルトチャンネルで置換する。別の復旧モードで、オペレータはメモリから再現された先に選択された変調器の主チャンネルを自動的に再確定する。【選択図】図１
2006211723.tif 000002
【特許請求の範囲】
【請求項１】
信号処理装置であって、
第１の制御信号に応じて単一のビデオ伝送規格に関連したテレビジョン放送帯域内のユーザにより選択された第１の放送チャンネルと、第２の制御信号に応じて前記第１の放送チャンネルの替わりとして前記テレビジョン放送帯域内の製造者により予め選択された第２の放送チャンネルであって、前記第２の制御信号に応じてチャンネルの両立性をユーザに確保させるように所定された第２の放送チャンネルとにおける搬送波を生成する手段と、
受信した入力情報で前記搬送波を変調して、テレビジョン信号レシーバと両立する変調出力信号を供給する手段と、を有することを特徴とする信号処理装置。
【請求項２】
信号処理方法であって、
第１の制御信号に応じて単一のビデオ伝送規格に関連したテレビジョン放送帯域内のユーザにより選択された第１の放送チャンネルと、第２の制御信号に応じて前記第１の放送チャンネルの替わりとして前記テレビジョン放送帯域内の製造者により予め選択された第２の放送チャンネルであって、前記第２の制御信号に応じてチャンネルの両立性をユーザに確保させるように所定された第２の放送チャンネルとにおける搬送波を生成する段階と、
受信した入力情報で前記搬送波を変調して、テレビジョン信号レシーバと両立する変調出力信号を供給する段階と、を有することを特徴とする信号処理装置。
【発明の詳細な説明】
【技術分野】
【０００１】
本発明はビデオ信号の受像機の分野に係る。特に、本発明は、例えば、直接放送衛星受信機において、ＲＦ（無線周波）変調出力チャンネルを選択する装置に関する。
【背景技術】
【０００２】
直接衛星放送受信機及びＶＣＲ（ビデオカセットレコーダ）のようなビデオ信号受像機は、例えば、ＲＦ変調信号としてビデオ出力信号をテレビジョンの受像機に供給する。米国において上記ＲＦ変調器用に選択された搬送周波数は、通常、例えば、放送チャンネル３又はチャンネル４のＣＡＴＶ（ケーブルテレビジョン）の搬送周波数である。上記チャンネルの中からの一つの選択は、典型的に、ユーザ操作形の（ユーザによって操作される）手動スイッチにより行なわれる。このスイッチは、通常、ＶＣＲ又は衛星受信機にある。例えば、衛星受信機を使用するオペレータは、典型的に、オペレータのローカル放送地域では使用されていない放送チャンネル（３又は４）を選択するよう教育マニュアルによって指示される。従って、オペレータは、テレビジョン受像機が衛星受信機のＲＦ出力と同一の搬送周波数に同調されることを保証するためテレビジョン受像機で同一のチャンネルを選択する。
【０００３】
チャンネル３及びチャンネル４が共に衛星受信機による変調器のチャンネルとしての用途に利用できない場合、問題が生じる。この問題は、一方のチャンネルが特定のローカル放送地域で使用され、もう一方のチャンネルは、放送妨害による悪影響を受けているため使用不可／利用不可である場合に生じることがある。このような問題が生じる別の状況は、チャンネル３及びチャンネル４が共に既に使用されている場合である。上記問題は、例えば、衛星受信機の出力がケーブルテレビジョン信号と合成されている場合にも生じる。このような場合、一方のチャンネルはテレビジョン信号を搬送し、もう一方のチャンネルは既に変調器のチャンネルとして使用されている。上記状況において、オペレータはテレビジョン信号の放送チャンネルを衛星受信機の出力の変調器のチャンネルとして使用することを強いられる。その結果として、変調の前に上記チャンネルに伝達されたあらゆるテレビジョン信号は変調処理中に失われるので、オペレータはテレビジョン信号の放送チャンネルを失う。
【０００４】
このような状況に対処するため、先進的なビデオ受像機の中には、チャンネル３／４のスイッチの代わりに連続的に調整可能なＲＦ変調器を使用する受像機がある。調整可能なＲＦ変調器によって、例えば、チャンネル１−１２５の帯域内の未使用テレビジョンチャンネルを変調器のチャンネルとして使用することが可能になる。衛星受信機は、消費者／オペレータに届けられたとき、製造者によって所定の変調器のチャンネル、例えば、チャンネル６５に予め設定されている場合があるが、オペレータはあらゆる利用可能なチャンネルを変調器のチャンネルとして使用することが可能である。オペレータは遠隔制御装置を使用する特定のメニュー選択によって上記の操作を行なう。
【発明の開示】
【発明が解決しようとする課題】
【０００５】
オペレータによる調整可能な変調器は問題を生じる場合がある。起こり得る一つの問題は、ビデオ受像機（衛星受信機又はＶＣＲ）変調器出力チャンネルと、変調器出力を受信するテレビジョン受像機が同調されるチャンネルとの間の非両立性である。オペレータがビデオ受像機の変調器のチャンネルの設定値に気付かずにテレビジョン受像機を別のチャンネルに設定したとき、上記非両立性が生じる可能性がある。従って、テレビジョン受像機のチューナは、ビデオ受像機のＲＦ出力信号と同一の搬送周波数には設定されない。このような状況は、オペレータがどの変調器のチャンネルが選択されているかを忘れたとき、オペレータが変調器のチャンネルを不注意に変更したとき、或いは、変調器のチャンネルが知らない間に変更されたとき、起こる可能性がある。広域で連続的に調整可能な周波数選択領域を有するオペレータの調整可能な変調器を使用するビデオ受像機の場合、上記状況の生じる可能性はより高くなる。このような場合、オペレータが変調器のチャンネルを誤って設定する、或いは、予め選択した変調器のチャンネルを忘れる機会はより多くなる。従って、オペレータはテレビジョン受像機を両立しないチャンネルに設定する場合がある。その結果として、テレビジョンのチューナはビデオ受像機の変調器の搬送周波数には設定されず、テレビジョン受像機は有効な画像を表示しなくなる。オペレータはこのような結果を装置故障であると見なす場合がある。
【０００６】
本発明者は、オペレータが（衛星受信機又はＶＣＲのような）ビデオ受像機の調整可能な変調器を所望のチャンネルに直接設定し得ることに利点があることを認識した。本発明者は、オペレータが少なくとも一つの製造者の予め設定した変調器のチャンネル（デフォルトチャンネル）を個別に直接選択可能であることが望ましいということを更に認識した。
【課題を解決するための手段】
【０００７】
本発明の原理に従うシステムにおいて、衛星ビデオ受像機のようなビデオ受像機は出力信号をテレビジョン受像機に供給する。ビデオ受像機は、衛星受信機の変調器の出力チャンネル周波数のオペレータによる選択のための装置を更に有する。上記オペレータの選択用装置によれば、オペレータは、オペレータによって選定された変調器の主チャンネル、或いは、代わりに製造者の予め設定したデフォルトチャンネルを選択することができる。上記装置によれば、オペレータは、例えば、選定された主チャンネルを忘れている場合、復旧モードにおいて、製造者の予め設定したデフォルトチャンネルを予約することができる。別の復旧モードの場合、オペレータはメモリから先に設定された変調器の主チャンネルを自動的に再現する。
【０００８】
本発明の一つの特徴によれば、オペレータは離散的に選択可能なチャンネルの範囲からデフォルトチャンネルを選択する。本発明の他の特徴によれば、選択された変調器のチャンネルの視覚的表示装置の標示が設けられている。
【発明を実施するための最良の形態】
【０００９】
図１には本発明の原理を組み込む衛星ビデオ信号受像機の変調段１２のブロック図が示されている。受信されたビデオ信号は、入力プロセッサ１４による処理の後、変調器５０によって搬送周波数Ｆｃに変調される。変調器５０は位相ロックドループ（ＰＬＬ）回路２０から搬送周波数を受け、ＲＦ変調出力信号をテレビジョン受像機５２に供給する。ＰＬＬの出力搬送周波数Ｆｃは、マイクロプロセッサ１５と、基準周波数源４５により供給された基準周波数とによって定められる。マイクロプロセッサ１５は、ＰＬＬ２０によって出力された搬送周波数Ｆｃを制御することにより、変調器のチャンネルとして使用されるチャンネルを選択する。マイクロプロセッサ１５は、オペレータの使用可能なスイッチ回路１０と、オペレータ用メニュー制御及び表示回路１６とから受けられた入力に応答して変調器のチャンネルを選択する。
【００１０】
オペレータは、衛星受信機とテレビジョン受像機が同一の変調器のチャンネル周波数に両立して同調された場合に限り、変調器のチャンネルとして主（デフォルトではない）チャンネルを選択するためメニュー制御部１６を使用するので、テレビジョン受像機によって有効な画像が表示され、メニューが表示される。制御部１６を使用して変調器のチャンネルとして主チャンネルを選択する代わりに、オペレータは、スイッチ回路１０を使用して変調器のチャンネルとして所定の（製造者の設定した）デフォルトチャンネルを選択してもよい。変調器のチャンネルを選択するため衛星受信機のメニュー制御部１６を使用しているオペレータは、衛星受信機用の変調器の出力チャンネル周波数Ｆｃを設定する。この新しい周波数は、製造者の予め設定したデフォルトチャンネル周波数、又は、デフォルトでない主チャンネル周波数の何れでもよい。
【００１１】
主チャンネルが選択されたとき、オペレータは上記チャンネルを忘れた場合、別のオペレータが主チャンネルを変更した場合、或いは、例えば、電気的故障の際に主チャンネルがシステムによって“忘れられた”場合に、問題が生じる。上記状況から復旧させるため、システムを周知の変調器のチャンネル構成に戻すことが望ましい。第１の復旧モードにおいて、かかる復旧は、現在の変調器のチャンネル選択を無効にするため、例えば、スイッチ１０を介して製造者の予め設定したデフォルトチャンネルを選択することにより行なわれる。第２の復旧モードにおいて、上記復旧は、メモリから前のチャンネル選択を再現することにより行なわれる。
【００１２】
オペレータは、テレビジョン受像機によって表示された（制御部１６を使用する）オプションメニューをスクロールさせることを必要としないで所定の（製造者の設定した）デフォルト変調器チャンネルを手動で選択するためスイッチ回路１０を使用する。更に、オペレータは有効なテレビジョン画像の表示を得ることを必要としないでスイッチ回路１０を使用してもよい。衛星受信機とテレビジョン受像機の変調器のチャンネルの設定値の間に非両立性がある場合、上記動作は共に実現不可能になるので、この点は重要である。このことから、テレビジョン受像機の画像の損失を誘起した上記非両立性の可能性はオペレータの介入なしには除去し得ないことが分かる。オペレータは、オペレータ教育マニュアルの指示に従って、セットアップ又は故障診断処理の一部としてスイッチ回路１０を用いて変調器のデフォルトチャンネルを選択することにより介入する。上記処理は、オペレータに最初衛星受信機の変調器のデフォルトチャンネルを選択させ、次いで、テレビジョン受像機側で同一のチャンネルを選択させる。かかる処理によって、オペレータは、衛星受信機とテレビ受像機の両方が同一のチャンネルに両立して同調された既知の使用可能状態に受信装置を戻す。
【００１３】
スイッチ回路１０は、例えば、衛星受信機ユニットに取付けられ、オペレータのアクセス可能な３個の多機能押しボタンからなる。衛星受信機を製造者によって設定された所定の変調器デフォルトチャンネルに戻すため、オペレータは所定の順序で回路１０の３個のボタンを押す。上記所定の順序と、デフォルトチャンネルとして使用された実際のチャンネルは、共に、所有者教育マニュアル、或いは、衛星受信機ユニット自体に印刷された指示書きによってオペレータに示される。種々の押しボタンの順序を用いて選択するため二つ以上のデフォルトチャンネルが利用可能である。これにより、オペレータがローカル放送地域で使用されていないデフォルトチャンネルを選択し得る尤もらしさは改良される。オペレータは、制御部１６を用いて得られた表示メニューから変調器のデフォルトチャンネルを選択する方が複雑なときには、スイッチ回路１０を使用して変調器のデフォルトチャンネルを手動で選択することを好む場合がある。
【００１４】
回路１０のスイッチの押しボタン動作は、スイッチ回路１０の状態を周期的に監視するマイクロプロセッサ１５によって検出される。押しボタンは、動作時にマイクロプロセッサ１５によって周期的に読まれるディジタル信号の論理状態を変化させるよう設けられている。或いは、例えば、上記信号をマイクロプロセッサの割り込み入力に結合してもよい。この場合、押しボタンの動作はマイクロプロセッサ１５の動作を中断させるので、マイクロプロセッサ１５はスイッチ回路１０を周期的に読む必要はなくなる。
【００１５】
マイクロプロセッサ１５は、押しボタンの動作の順序を検出し、かつ、復号化する。所定の順序を認識したとき、マイクロプロセッサ１５は、ＰＬＬ２０にデフォルトチャンネル搬送周波数を変調器５０の搬送周波数入力に出力するよう指示する。デフォルトチャンネルの設定値は、マイクロプロセッサ１５の不揮発性メモリに記憶される。好ましくは、デフォルトチャンネルは製造者によってマイクロプロセッサ１５内にハード符号化されている。ＰＬＬ２０は、位相／周波数検波器３０と、補償及び増幅回路３５と、電圧制御発振器（ＶＣＯ）４０と、プログラマブル分周器２５とからなる通常のプログラマブル位相ロックドループである。論理的な制御値は、ＶＣＯ４０により変調器５０に供給されるＰＬＬの出力搬送周波数Ｆｃを決めるため、マイクロプロセッサ１５によってプログラマブル分周器２５のレジスタに書き込まれる。
【００１６】
ＰＬＬの出力周波数は、プログラマブル分周器２５によって分周され、周波数基準源４５からの周波数基準と検波器３０によって比較される。分周器２５によって行なわれる分周は、マイクロプロセッサ１５が分周器２５内のレジスタに書き込んだ論理的な制御値によって決められる。位相／周波数誤差を表わす検波器３０の出力電圧は、発振周波数の制御信号をＶＣＯ４０に供給するため装置３５によって増幅、補償される。装置３５によって得られた増幅及び補償はＰＬＬの安定性を保証する。上記補償は周知のフィルタリングのような形である。
【００１７】
同様に、マイクロプロセッサ１５は、変調器の主チャンネルのオペレータ選択に応答して、メニュー制御部１６によって生成された出力信号の状態を監視する。マイクロプロセッサ１５は、ＰＬＬ２０を以て、メニュー制御部１６を用いてオペレータによって選択された変調器の主チャンネルの周波数で出力搬送波信号Ｆｃを発生させることにより上記信号に応答する。
【００１８】
マイクロプロセッサ１５によって定められたＶＣＯ４０の出力周波数は、変調器５０により使用される搬送周波数である。変調器５０は、この搬送周波数を衛星受信機によって出力されるべきビデオ情報を含むソース１４からの入力信号で周波数変調する。変調器５０からの出力信号は、所望のビデオ情報を含む周波数変調ＲＦ信号である。この出力信号は、要求に応じて、テレビジョン受像機のような別の装置に供給される。衛星受信機出力信号の搬送周波数は、スイッチ回路１０を介してマイクロプロセッサ１５によって選択されたデフォルトチャンネル周波数、或いは、メニュー制御部１６によって選択された主チャンネル周波数である。
【００１９】
図１のスイッチ回路１０は、上記多機能押しボタンの他に多様な構成を示している。例えば、回路１０は、数個の固定位置を有する単一用途のスイッチを使用してもよい。上記位置の中の一つは、制御部１６を用いて表示されたメニューから選択された変調器の主チャンネルの代わりとして、製造者の設定したデフォルトチャンネルを選択する。復旧モードの際の第２の位置は、衛星受信機を選択メニューを用いてオペレータによって先に選択された主チャンネルに戻す。別の復旧モードの場合、第３の位置は、衛星受信機に製造者が予め設定したデフォルトチャンネルを自動的に選択させる。他のスイッチ位置は、付加的な製造者の設定したデフォルトチャンネルを提供する。この結果は、オペレータが先に設定された変調器の主チャンネルを忘れてしまった場合にも有用である。この場合、オペレータは、教育マニュアルから与えられたデフォルトチャンネルを知ることができ、或いは、そのデフォルトチャンネルを、例えば、図２に示した表示パネル７０を用いて表示してもよい。
【００２０】
図２には本発明の他の実施例が示されている。同図において、デフォルトチャンネルの選択及び主チャンネルの選択は、共に遠隔制御装置６０を用いて行なわれる。これに対し図１の場合、製造者の予め設定したデフォルトチャンネルはスイッチ回路１０を用いて選択され、変調器の主チャンネルはメニュー表示制御部１６を用いてオペレータによって選択される。図２に示したシステムには、図１のシステムには無い視聴者操作形の赤外線遠隔制御装置６０と、受信機−赤外線遠隔装置インタフェース回路６５と、衛星受信機表示パネル７０とが含まれている。図２に示した他の素子は、図１の中の同じ名前が付けられた素子と対応している。装置６０及び６５は、従来の赤外線形の設計をなしているが、例えば、無線周波数で動作するような別の設計の形であっても構わない。
【００２１】
図２の実施例において、オペレータは、例えば、専用押しボタンの押下、又は、遠隔制御装置６０上の押しボタンの順序によって、主チャンネル又は製造者の予め設定したデフォルトチャンネルを選択する。その結果として装置６０から得られる赤外線出力信号は、赤外線受信機インタフェース回路６５に伝送される。回路６５は赤外線信号を復号化し、得られた復号化コマンド信号をマイクロプロセッサ１５に供給する。このコマンド信号の受信時に、マイクロプロセッサ１５は、選択されたチャンネル搬送周波数を出力するようＰＬＬ２０をプログラミングする。このプログラミングは、図１の実施例と共に説明した方法で行なわれる。最後に、図１の実施例と共に説明したように、変調器５０は、選択されたチャンネル搬送周波数を入力信号のビデオ情報で周波数変調する。
【００２２】
付加的な押しボタン又は押しボタンの順序によって、図１と併せて説明したように、夫々製造者のデフォルトチャンネルを自動的に予約し、或いは、メモリから先に選択された変調器の主チャンネルを再現する第１及び第２の復旧モードが得られる。
【００２３】
マイクロプロセッサ１５によって衛星受信機の出力の変調器のチャンネルとして選択されたチャンネルの数は、衛星受信機の表示パネル７０によって表示される。この視覚的な標示は、標準的なＬＥＤ（発光ダイオード）形の表示であり、マイクロプロセッサ１５によって駆動される。しかし、ＬＣＤ（液晶ディスプレイ）のような別の形の表示装置を使用してもよい。オペレータは、上記表示装置を見る際、衛星受信機の変調器の出力チャンネル周波数と、関連するテレビジョン受像機が同調されているチャンネルとの間に非両立性があるかどうかを即座に判定し得る。非両立性が存在する場合、オペレータは変調器のチャンネルとしてデフォルトチャンネル又は主チャンネルを選択するため遠隔装置６０を使用することが可能である。
【００２４】
図２の実施例において表示装置７０が設けられていない場合、オペレータは衛星受信機とテレビジョンのチューナのチャンネルとの間に非両立性があるかどうかを視覚的に判定し得ない。即ち、オペレータの介入は、上記のような非両立性が存在し、テレビジョン受像機側の画像の損失の原因であるかどうかを判定するため必要である。オペレータは、ユーザマニュアルの指示の下で遠隔制御装置６０を用いて変調器のデフォルトチャンネルを選択することにより介入する。
【００２５】
上記開示した装置において、主チャンネルとデフォルトチャンネルの双方の変調器周波数は、チャンネルの同調を容易化するためＵＨＦ放送のテレビジョン帯域から選択される。別の装置において、チャンネルの選択は特定のシステムの要求に従って種々の帯域から得られる場合がある。同様に、開示した変調器の出力チャンネルの選択装置は、衛星受信機と共にＶＣＲにも使用することが可能である。
【００２６】
なお、本開示に関し以下の付記をする。
（付記１）  テレビジョン信号受像機と両立する変調された出力信号を供給するため、受信された入力情報で搬送波を変調するビデオ信号受像機であって：
制御入力と、該制御入力に供給された制御信号に応答して発生されたチャンネル搬送波を供給する出力とを有し、テレビジョンのチャンネル周波数の帯域内の搬送周波数のチャンネル搬送波を発生する手段と；
第１の制御信号を該発生手段の該制御入力に供給し、発生されたチャンネル搬送波を手動で選択するユーザ操作形の第１の手段と；
第２の制御信号を該発生手段の該制御入力に供給し、該第１の手段によって選択された該チャンネル搬送波の代わりとして製造者の予め選択した利用可能なチャンネル搬送波を手動で選択するユーザ操作形の第２の手段と；
該発生手段の出力に結合された入力を有し、該第１の手段によって選択された発生された搬送波又は該第２の手段によって選択された搬送波を該受信された入力情報で変調し該変調された出力信号を供給する手段とからなり、
該ユーザ操作形の第１の手段によって選択された該チャンネル搬送波は、該製造者の予め選択した利用可能なチャンネル搬送波以外のチャンネル搬送波である受像機。
（付記２）  該第１の手段は制御可能なスイッチング回路からなり、該第２の手段は選択可能な条件のある制御可能なスイッチング回路からなり、該第１の手段は、該第２のスイッチング回路の上記条件とは無関係に該発生手段にチャンネル搬送波を生じさせる付記１記載の受像機。
（付記３）  該製造者の予め選択したチャンネル搬送波の標示は、不揮発性メモリに記憶されている付記１又は２記載の受像機。
（付記４）  該第１の手段によって選択されたチャンネル搬送波を該製造者の予め選択したチャンネル搬送波によって自動的に置き換える手段を更に有する付記１又は２記載の受像機。
（付記５）  該第２の手段は多機能スイッチを更に有する付記１記載の受像機。
（付記６）  該多機能スイッチは該第２の手段によって該製造者の予め選択したチャンネル搬送波を選択する連続的な動作を要する付記５記載の受像機。
（付記７）  該発生手段からの出力チャンネル搬送波の視覚的表示装置の標示を提供する手段を更に有する付記１又は２記載の受像機。
（付記８）  該第１の手段及び該第２の手段によって夫々選択された該チャンネル搬送波は、ＵＨＦ放送テレビジョンスペクトル内にある付記１又は２記載の受像機。
（付記９）  メモリから該予め選択されたチャンネル搬送波を再現することにより、該第１の手段が先に選択したチャンネル搬送波を自動的に再確定する手段を更に有する付記１又は２記載の受像機。
（付記１０）  テレビジョン信号受像機と両立する変調された出力信号を供給するため、受信された入力情報で搬送波を変調するビデオ信号受像機であって：
制御入力と、該制御入力に供給された制御信号に応答して出力チャンネル搬送波を供給する出力とを有し、テレビジョンのチャンネル周波数の帯域内の搬送周波数のチャンネル搬送波を発生する手段と；
第１の制御信号を該発生手段の該制御入力に供給し、製造者の予め選択したチャンネル搬送周波数以外の周波数の出力チャンネル搬送波を手動で選択するユーザ操作形の選択回路と；
メモリから先に選択されたチャンネル搬送波を再現することにより該ユーザ操作形の選択回路が先に選択したチャンネル搬送波を自動的に再確定し、該出力チャンネル搬送波を選択するため第２の制御信号を該発生手段の該制御入力に供給するユーザ操作形の手段と；
該変調された出力信号を供給するため該出力チャンネル搬送波を該受信された入力情報で変調する手段とからなる受像機。
（付記１１）  テレビジョン信号受像機と両立する変調された出力信号を供給するため、受信された入力情報で搬送波を変調するビデオ信号の受像機における出力チャンネル搬送波のユーザ選択の方法であって：
（ａ）テレビジョンの搬送周波数の帯域内で製造者の予め選択したチャンネル搬送波を選択する段階と；
（ｂ）該テレビジョンの搬送周波数の帯域内で製造者の予め選択したチャンネル搬送波以外の代わりのチャンネル搬送波を選択する段階と；
（ｃ）該両立する出力信号を生成するため該受信されたビデオ情報で段階（ａ）又は（ｂ）に従って選択されたチャンネル搬送波を変調する段階とからなる方法。
（付記１２）  現在のチャンネル搬送波を該製造者の予め選択したチャンネル搬送波で自動的に置き換える段階を更に有する付記１１記載の方法。
（付記１３）  メモリから段階（ｂ）で選択された該搬送波を再現することにより段階（ｂ）で選択された搬送波を自動的に再確定する段階を更に有する付記１１又は１２記載の方法。
【図面の簡単な説明】
【００２７】
【図１】本発明によるビデオ受像機の調整可能なＲＦ変調器の概略図である。
【図２】遠隔制御装置と変調器のチャンネルの表示装置を有する本発明によるビデオ受像機の調整可能なＲＦ変調器の概略図である。
【符号の説明】
【００２８】
１０    スイッチ回路
１２    衛星ビデオ信号受像機の変調段
１４    入力プロセッサ
１５    マイクロプロセッサ
１６    メニュー制御及び表示回路
２０    位相ロックドループ
２５    プログラマブル分周器
３０    位相／周波数検波器
３５    補償及び増幅回路
４０    電圧制御発振器
４５    基準周波数源
５０    変調器
５２    テレビジョン受像機
６０    遠隔制御装置
６５    受信機−赤外線遠隔制御装置インタフェース回路
７０    表示パネル
【図１】
2006211723.tif 000003
【図２】
2006211723.tif 000004